(57)【特許請求の範囲】
【請求項１】
ライセンスプレート取付部が凹設され、前記ライセンスプレート取付部の上部に開口部が形成されているバンパー本体に、前記バンパー本体の裏面側から前記開口部に臨ませて、前記ライセンスプレート取付部に装着されたライセンスプレートを照明するランプを取付けるためのランプ取付用ブラケット構造であって、前記ランプ取付用ブラケットは、前記バンパー本体の裏面上端部に薄肉部を介して延出され前記バンパー本体と一体成形されたブラケット基体を、前記薄肉部において前記バンパー本体の裏面側に折曲げ、その先端部を前記ライセンスプレート取付部の背面に固定することにより、前記ライセンスプレート取付部背面と前記バンパー本体裏面上端部との間に延設されているようなランプ取付用ブラケット構造において、
上記ランプ取付用ブラケットに、上記ライセンスプレート取付部の上記開口部を画成する上縁部に沿って車幅方向に延在し且つ前記上縁部から上方に張出した目隠板が一体に形成されており、前記目隠板には、上記ライセンスプレート取付部の背面とボディパネルとの間に挟持される複数の舌片部が設けられていることを特徴とするランプ取付用ブラケット構造。
【請求項２】
上記舌片部に、上記ライセンスプレートを上記ライセンスプレート取付部に取付けるボルト挿通用の孔が形成されていることを特徴とする請求項１に記載のランプ取付用ブラケット構造。
【請求項３】
上記ランプ取付用ブラケットの両側部に、上記ランプの照明が車体側へ漏れるのを防止する遮蔽板が形成されていることを特徴とする請求項１または２に記載のランプ取付用ブラケット構造。
【発明の詳細な説明】
【０００１】
【発明の属する技術分野】
本発明は、ライセンスプレートを照らすライセンスプレートランプのランプ取付用ブラケット構造に関する。
【０００２】
【従来の技術】
図７は、自動車５１の後部を示す。自動車５１の後部にはリヤバンパー５２が装着され、リヤバンパー５２にはライセンスプレート５３が取付けられている。ライセンスプレート５３は、図８に示すように、リヤバンパー５２の略中央部にライセンスプレート５３を配設するための凹部５４が形成されている。図９及び図１０は、ライセンスプレート５３の取付部の断面図である。図に示すように、凹部５４の上部には開口５５が形成されており、この開口５５は夜間にライセンスプレート５３を照らすための照明を通過させるために開けられている。
【０００３】
図８及び図９に示すように、そのライセンスプレートランプ５６を取付けるランプ取付用ブラケット５７は、リヤバンパー５２の成形時にリヤバンパー５２の裏面に延出させることによって一体成形される。また、ランプ取付用ブラケット５７とリヤバンパー５２との間には薄肉部５８が形成され、リヤバンパー５２の成形後に、図９に示すように薄肉部５８を介して矢印ａ方向のリヤバンパー５２の裏面側にランプ取付用ブラケット５７を折り曲げることにより、リヤバンパー５２に組付ける。すなわち、ランプ取付用ブラケット５７に係合孔５９を形成するとともに、リヤバンパー５２の裏面に係合部６０を突設して、これらを互いに係合させることによって、ランプ取付用ブラケット５７の先端部がリヤバンパー５２に固定される。
【０００４】
【発明が解決しようとする課題】
しかしながら、上記のような構造では図１０の矢印ｆに示すように、ライセンスプレート５３を照らすための開口５５から、ボディパネル６１が見えて車の外観上見栄えが良くない。これについては、リヤバンパー５２の開口５５の形状等を変えて解決を図ることが考えられるが、リヤバンパー５２の製造上、以下の理由から避けることができない。すなわち、図１１に示すように、リヤバンパー５２はその成形時に、型Ａ及び型Ｂ間に樹脂を注入して成形され、その後矢印ｂ、ｃ方向に開いて取出されるが、型Ａ，Ｂの合わせを良くし、バリの発生を防止する為、勾配ｄが付けられている。さらに、型Ａ，Ｂの合わせ部分の強度を保つため、段差ｈを必要とする。このため、開口５５の両端において段差ｅが生じ、矢印ｆ方向から見たときに内部のボディパネルが見えてしまうからである。
【０００５】
樹脂製のリヤバンパー５２にボディパネル６１と同色の塗装を施す場合は、開口５５から見えるボディパネル６１の色とリヤバンパー５２が同色のため外観上の見栄えは問題とならない。しかし、ボディパネル６１と異なる色をリヤバンパー５２に塗装する場合、またはリヤバンパー５２に塗装を施さず、ボディパネル６１の色と異なる樹脂の地色（通常は黒又はグレー系）をそのまま使用する場合は、リヤバンパー５２の開口５５からボディパネル６１の塗装色が見えたり、さらには、リアバンパー５２内部に配設されている車両の構成部品が見えるので、外観上好ましくない。
【０００６】
また、ライセンスプレートランプ５６がランプ取付用ブラケット５７に２個取付けられる場合、図１２に示すようにランプ取付用ブラケット５７の形状を大きくする必要があり、ランプ取付用ブラケット５７の係合孔５９を係合部６０に係止させる固定手段では、剛性が不足し矢印ｇの向きにガタツキや変形が生じるおそれがある。
本発明は上記事情に鑑みてなされたもので、ライセンスプレートランプの照明用の開口からリヤバンパーの内部を見えなくするランプ取付用ブラケット構造を提供することを目的とする。
【０００７】
【課題を解決するための手段】
上記目的を達成するために本発明は、ライセンスプレート取付部が凹設され、前記ライセンスプレート取付部の上部に開口部が形成されているバンパー本体に、前記バンパー本体の裏面側から前記開口部に臨ませて、前記ライセンスプレート取付部に装着されたライセンスプレートを照明するランプを取付けるためのランプ取付用ブラケット構造であって、前記ランプ取付用ブラケットは、前記バンパー本体の裏面上端部に薄肉部を介して延出され前記バンパー本体と一体成形されたブラケット基体を、前記薄肉部において前記バンパー本体の裏面側に折曲げ、その先端部を前記ライセンスプレート取付部の背面に固定することにより、前記ライセンスプレート取付部背面と前記バンパー本体裏面上端部との間に延設されているようなランプ取付用ブラケット構造において、上記ランプ取付用ブラケットに、上記ライセンスプレート取付部の上記開口部を画成する上縁部に沿って車幅方向に延在し且つ前記上縁部から上方に張出した目隠板が一体に形成されており、前記目隠板には、上記ライセンスプレート取付部の背面とボディパネルとの間に挟持される複数の舌片部が設けられている。
【０００８】
【発明の実施の形態】
以下、本発明の実施の形態によるランプ取付用ブラケット構造について、図面を参照しながら説明する。
図１は、リヤバンパー１を示し、リヤバンパー１の略中央部にはライセンスプレート２（図３参照）を装着するための凹部３が形成されている。図２及び図３に示すように凹部３の上縁には開口４が形成され、リヤバンパー１の裏面にはライセンスプレート２を照明するためのライセンスプレートランプ１２を取付けるランプ取付用ブラケット６が配設されている。ランプ取付用ブラケット６はリヤバンパー１の成形時にリヤバンパー１の裏面に延出させて成形したものであり、ランプ取付用ブラケット６とリヤバンパー１との間、すなわちランプ取付用ブラケット６の基端側に薄肉部７を形成させている。
やや屈曲して形成された帯状のランプ取付用ブラケット６の先端側には、係止孔８が設けられ、車幅方向には目隠板９を延在させ、目隠板９にはランプ取付用ブラケット６の先端側に向けて、４個のガタツキ防止片１０が設けられている。図２に示すように、リヤバンパー１にはライセンスプレートの取付部１１が設けられ、その上部に上述した開口４を位置させている。
【０００９】
ランプ取付用ブラケット６は図２の想像線に示すように、リヤバンパー１の裏面側に薄肉部７を介して折り曲げられるが、以下、このランプ取付用ブラケット６が折り曲げられて、その先端部がリヤバンパー１に取付けられた状態で説明する。係止孔８に対応するリヤバンパー１の位置には係止孔８が嵌合する突起１４が設けられている。そして、ライセンスプレートの取付部１１の上縁部には、上述した目隠板９が上方に起立した状態で配設され、その先端部はリヤバンパー１の開口縁部４ａとほぼ同じ水平位置になるようにしている。
【００１０】
自動車後部のボディパネル１５は、図３に示すように、ランプ取付用ブラケット６のガタツキ防止片１０が位置する部位に対応させてライセンスプレートの取付部１１側に突出するビード１６を形成させている。ガタツキ防止片１０はビード１６の突出面とライセンスプレートの取付部１１との間に狭持される。図４に示すように、ライセンスプレート２はボルト１８によって固定されるが、ガタツキ防止片１０は、このボルト１８に干渉しない位置に設けられる。
また、図２に示すように、ライセンスプレートランプ１２が開口４の直上方に配置されるように、ランプ取付用ブラケット６にランプ取付孔１７が形成されている。
【００１１】
本実施の形態では、ランプ取付用ブラケット６に目隠板９を設けたので、開口４を介してボディパネル１５が見えることがなく、車両の外観上の見栄えがよくなる。また、ガタツキ防止片１０をライセンスプレートの取付部１１とボディパネル１５との間に狭持するとともに、それらをボルト１８で共締めしていることから、ランプ取付用ブラケット６のリヤバンパー１への取付強度が大きくなり、ランプ取付用ブラケット６のガタツキを防止することができる。
【００１２】
以上、本発明の実施の形態について説明したが、勿論、本発明はこれに限定されることなく本発明の技術的思想に基いて種々の変形及び変更が可能である。図５に示すランプ取付用ブラケット６の目隠板９は、ガタツキ防止片１０を左右１個宛設け、ガタツキ防止片１０にライセンスプレート２のボルト１８の挿通用孔２０を形成している。
このようにして、ボルト１８の挿通用孔２０を介して、ランプ取付用ブラケット６の一端側をリヤバンパー１に固定するので、リヤバンパー１が負荷により変形したような場合でも、ガタツキ防止片１０が抜けることがない。なお、この場合は、ランプ取付用ブラケット６の係止孔８とリヤバンパー１の突起１４を省略してもよい。
また、図６に示すように、ランプ取付用ブラケット６のライセンスプレートランプ１２のランプ取付孔１７に対応する部位の両サイドにライセンスプレートランプ１２の光漏れを防止する遮蔽板２１を立設させている。これにより、ライセンスプレート２をより明るく照らすことができる。
【００１３】
【発明の効果】
以上述べたように、本発明によれば、上記ライセンスプレート取付部の上記開口部を画成する上縁部に沿って車幅方向に延在し且つ前記上縁部から上方に張出した目隠板をランプ取付用ブラケットに一体に形成したので、ライセンスプレートの取付部の上部に形成されたランプ照明用の開口からバンパー内部が見えなくなり、自動車の外観上の見栄えが良くなった。
上記ランプ取付用ブラケットの上記目隠板に、上記ライセンスプレート取付部の背面とボディパネルとの間に挟持される複数の舌片部を設けたので、ランプ取付用ブラケットのガタツキを防止することができるようになった。
上記舌片部に、上記ライセンスプレートを上記ライセンスプレート取付部に取付けるボルト挿通用の孔が形成されているので、リヤバンパーに大きな負荷が加わってもランプ取付用ブラケットの舌片部がバンパーから外れなくなった。
上記ランプ取付用ブラケットの両側部に、上記ランプの照明が車体側へ漏れるのを防止する遮蔽板が形成されているので、ライセンスプレートランプの照明がバンパーの内部に漏れなくなり、ライセンスプレートを明るく照らすことができるようになった。
【図面の簡単な説明】
【図１】本発明の実施の形態によるランプ取付用ブラケット構造を採用したリアバンパーとこれに取付けられているランプ取付用ブラケットの斜視図である。
【図２】図１におけるＸ−Ｘ線方向の断面図である。
【図３】図１におけるＹ−Ｙ線方向の断面図である。
【図４】図１におけるＺ−Ｚ線方向の断面図である。
【図５】本発明の変形例によるランプ取付用ブラケットの斜視図である。
【図６】本発明の他の変形例によるランプ取付用ブラケットの斜視図である。
【図７】従来例で説明した自動車の後部を示す斜視図である。
【図８】図７の自動車に装着しているリヤバンパーの斜視図である。
【図９】図８におけるＵ−Ｕ線方向の断面図である。
【図１０】図８におけるＷ−Ｗ線方向の断面図である。
【図１１】図７に示すリヤバンパーとその型を示す断面図である。
【図１２】従来のランプ取付用ブラケットであって、ライセンスプレートランプが２個取付けられている状態を示す斜視図である。
【符号の説明】
１  リヤバンパー
２  ライセンスプレート
３  凹部
４  開口
６  ランプ取付用ブラケット
７  薄肉部
８  係止孔
９  目隠板
１０  ガタツキ防止片
１１  ライセンスプレートの取付部
１２  ライセンスプレートランプ
１４  突起
１６  ビード
２０  挿通用孔
２１  遮蔽板
【図１】
0003981906.tif 000002
【図２】
0003981906.tif 000003
【図３】
0003981906.tif 000004
【図４】
0003981906.tif 000005
【図５】
0003981906.tif 000006
【図６】
0003981906.tif 000007
【図７】
0003981906.tif 000008
【図８】
0003981906.tif 000009
【図９】
0003981906.tif 000010
【図１０】
0003981906.tif 000011
【図１１】
0003981906.tif 000012
【図１２】
0003981906.tif 000013